(57)【要約】【課題】総量規制の置換処理の前後における色差を小さくする。【解決手段】本発明の画像処理装置は、特色単色で再現される色及び前記特色と色相的に隣接する複数の基本色の混色で再現される色の色情報を取得する色情報取得手段と、前記色情報取得手段で取得された色情報に基づき、複数の基本色の信号値から特色の信号値への置き換えの比率を示す置換情報を作成する置換情報作成手段と、複数の基本色及び特色で構成される画像信号に基づいて出力する際に、前記画像信号の各色の信号値の総和が設定された制限値を超える場合、前記置換情報作成手段により作成された置換情報に基づき、複数の基本色の信号値を特色の信号値へ置き換える置換処理手段とを備える。【選択図】図３
2013121135.tif 000002
【特許請求の範囲】
【請求項１】
特色単色で再現される色及び前記特色と色相的に隣接する複数の基本色の混色で再現される色の色情報を取得する色情報取得手段と、
前記色情報取得手段で取得された色情報に基づき、複数の基本色の信号値から特色の信号値への置き換えの比率を示す置換情報を作成する置換情報作成手段と、
複数の基本色及び特色で構成される画像信号に基づいて出力する際に、前記画像信号の各色の信号値の総和が設定された制限値を超える場合、前記置換情報作成手段により作成された置換情報に基づき、複数の基本色の信号値を特色の信号値へ置き換える置換処理手段と
を備える画像処理装置。
【請求項２】
前記置換情報作成手段は、前記色情報取得手段で取得された前記色情報から、複数の基本色の混色と特色単色の色差が最小となる組み合わせの色信号値を検索し、該検索した色信号値に基づき、前記置き換えの比率を示す置換情報を作成する、請求項１に記載の画像処理装置。
【請求項３】
前記置換処理手段は、前記置換情報作成手段により作成された置換情報に基づき、複数の基本色の信号値を特色の信号値へ置き換える置換処理をしても前記信号値の総和が前記制限値を超えている場合には、前記信号値の総和が前記制限値の範囲内に収まるように調整する、請求項１又は２に記載の画像処理装置。
【請求項４】
特色単色で構成されるカラーパッチと、前記特色と色相的に隣接する複数の基本色の混色で構成されるカラーパッチとを出力する出力手段と、
前記出力手段で出力された各カラーパッチを読取って前記特色単色及び前記複数の基本色の混色の色情報を取得する色情報取得手段と、
前記色情報取得手段で取得された色情報に基づき、複数の基本色の信号値から特色の信号値への置き換えの比率を示す置換情報を作成する置換情報作成手段と、
複数の基本色及び特色で構成される画像信号に基づいて出力する際に、前記画像信号の各色の信号値の総和が設定された制限値を超える場合、前記置換情報作成手段により作成された置換情報に基づき、複数の基本色の信号値を特色の信号値へ置き換える置換処理手段と
を備える画像形成装置。
【請求項５】
前記置換情報作成手段は、前記色情報取得手段で取得された前記色情報から、複数の基本色の混色と特色単色の色差が最小となる組み合わせの色信号値を検索し、該検索した色信号値に基づき、前記置き換えの比率を示す置換情報を作成する、請求項４に記載の画像形成装置。
【請求項６】
前記置換処理手段は、前記置換情報作成手段により作成された置換情報に基づき、複数の基本色の信号値を特色の信号値へ置き換える置換処理をしても前記信号値の総和が前記制限値を超えている場合には、前記信号値の総和が前記制限値の範囲内に収まるように調整する、請求項４又は５に記載の画像形成装置。
【請求項７】
コンピュータを、
特色単色で再現される色及び前記特色と色相的に隣接する複数の基本色の混色で再現される色の色情報を取得する色情報取得手段と、
前記色情報取得手段で取得された色情報に基づき、複数の基本色の信号値から特色の信号値への置き換えの比率を示す置換情報を作成する置換情報作成手段と、
複数の基本色及び特色で構成される画像信号に基づいて出力する際に、前記画像信号の各色の信号値の総和が設定された制限値を超える場合、前記置換情報作成手段により作成された置換情報に基づき、複数の基本色の信号値を特色の信号値へ置き換える置換処理手段と
して機能させるプログラム。
【請求項８】
情報処理装置で実行される画像処理方法であって、
特色単色で再現される色及び前記特色と色相的に隣接する複数の基本色の混色で再現される色の色情報を取得し、
前記取得された色情報に基づき、複数の基本色の信号値から特色の信号値への置き換えの比率を示す置換情報を作成し、
複数の基本色及び特色で構成される画像信号に基づいて出力する際に、前記画像信号の各色の信号値の総和が設定された制限値を超える場合、前記作成された置換情報に基づき、複数の基本色の信号値を特色の信号値へ置き換える画像処理方法。
【発明の詳細な説明】
【技術分野】
【０００１】
本発明の実施形態は、画像処理装置、画像形成装置、プログラム及び画像処理方法に関する。
【背景技術】
【０００２】
従来、カラープリンティング技術において、ＣＭＹＫを用いて印刷するプリンタが一般的に知られているが、近年では、プロセスカラーであるＣＭＹＫ（基本色）の色材（トナー）に、オレンジ（Ｏ）、グリーン（Ｇ）などの特色の色材を新たに加え、４色を超える色材を使用した多色印刷を行うことのできる多色プリンタ（画像処理装置）が注目されている。
【０００３】
そして、上記多色印刷するためには、ＣＭＹＫ（基本色）だけでなく、特色の色材量を決定する必要があるが、その決定方法には、様々な方式が知られている。特に、代表的な方法としては、ＣＭＹＫ（基本色）と特色を組み合わせて印刷した印刷物の測色値に基づきＣＭＹＫ信号からＮ色信号（Ｎ＞４）へ変換するためのルックアップテーブル（ＬＵＴ：Look-Up  Table）を作成し、そのＬＵＴを用いて特色の色材量を決定する方法や、ＣＭＹＫ（基本色）のうち、例えば、シアン（Ｃ）とマゼンタ（Ｍ）の２色を特色であるブルー単色に置き換えることで特色の色材量を決定する方法などが知られている。
【発明の概要】
【発明が解決しようとする課題】
【０００４】
ところで、印刷用紙に打てる色材量には制限があり、単位面積当たりに付着する色材量（トナー量）が多過ぎると、色材滲みによる画質劣化などの問題が生じる。このため、画像処理装置に入力されるＲＧＢ信号やＣＭＹＫ信号から特色を含むＮ色信号（Ｎ＞４）へ変換する際には、変換後の色材総量が予め決められた色材量の上限値（総量規制値ともいう。）を超えないようにする必要がある。
【０００５】
そのため、入力されたＮ色信号値の総和が総量規制値を超える場合には、総量規制値を超えないように各色の信号値を修正する必要がある。そこで、上述のような総量規制値を超えないように各色の信号値を修正する技術として、特色を含む各色の信号値の総和が総量規制値を超える場合、基本色の信号値を特色の信号値へ置き換える置換テーブルに基づき、基本色の信号値を特色の信号値に置き換える技術（例えば、特許文献１参照）が知られている。
【０００６】
しかしながら、上記特許文献１を含む従来技術にあっては、ＣＭＹ基本色から特色信号への置換比率は一定であり、置換により生成される特色量に応じて、置換前後で色差（色味変化）が大きくなってしまうという課題がある。また、使用する色材に応じて、どのように置換比率を決定するかが困難であるという課題がある。
【０００７】
そこで、本発明は、上記従来の課題を解決するものであり、総量規制の置換処理の前後における色差を小さくでき、容易に置換比率を決定することができる画像処理装置、画像形成装置、プログラム及び画像処理方法を提供することを目的とする。
【課題を解決するための手段】
【０００８】
前記した課題を解決し、目的を達成するために、本発明の画像処理装置は、特色単色で再現される色及び前記特色と色相的に隣接する複数の基本色の混色で再現される色の色情報を取得する色情報取得手段と、前記色情報取得手段で取得された色情報に基づき、複数の基本色の信号値から特色の信号値への置き換えの比率を示す置換情報を作成する置換情報作成手段と、複数の基本色及び特色で構成される画像信号に基づいて出力する際に、前記画像信号の各色の信号値の総和が設定された制限値を超える場合、前記置換情報作成手段により作成された置換情報に基づき、複数の基本色の信号値を特色の信号値へ置き換える置換処理手段とを備える。
【０００９】
また、本発明の画像形成装置は、特色単色で構成されるカラーパッチと、前記特色と色相的に隣接する複数の基本色の混色で構成されるカラーパッチとを出力する出力手段と、前記出力手段で出力された各カラーパッチを読取って前記特色単色及び前記複数の基本色の混色の色情報を取得する色情報取得手段と、前記色情報取得手段で取得された色情報に基づき、複数の基本色の信号値から特色の信号値への置き換えの比率を示す置換情報を作成する置換情報作成手段と、複数の基本色及び特色で構成される画像信号に基づいて出力する際に、前記画像信号の各色の信号値の総和が設定された制限値を超える場合、前記置換情報作成手段により作成された置換情報に基づき、複数の基本色の信号値を特色の信号値へ置き換える置換処理手段とを備える。
【００１０】
また、本発明のプログラムは、コンピュータを、特色単色で再現される色及び前記特色と色相的に隣接する複数の基本色の混色で再現される色の色情報を取得する色情報取得手段と、前記色情報取得手段で取得された色情報に基づき、複数の基本色の信号値から特色の信号値への置き換えの比率を示す置換情報を作成する置換情報作成手段と、複数の基本色及び特色で構成される画像信号に基づいて出力する際に、前記画像信号の各色の信号値の総和が設定された制限値を超える場合、前記置換情報作成手段により作成された置換情報に基づき、複数の基本色の信号値を特色の信号値へ置き換える置換処理手段として機能させるプログラムである。
【００１１】
また、本発明の画像処理装置で実行される画像処理方法は、特色単色で再現される色及び前記特色と色相的に隣接する複数の基本色の混色で再現される色の色情報を取得し、前記取得された色情報に基づき、複数の基本色の信号値から特色の信号値への置き換えの比率を示す置換情報を作成し、複数の基本色及び特色で構成される画像信号に基づいて出力する際に、前記画像信号の各色の信号値の総和が設定された制限値を超える場合、前記作成された置換情報に基づき、複数の基本色の信号値を特色の信号値へ置き換える方法である。
【発明の効果】
【００１２】
本発明によれば、総量規制の基本色から特色への置換処理の前後における色差（色味変化）を小さくすることができ、容易に置換比率を決定することができる。
【図面の簡単な説明】
【００１３】
【図１】図１は、本実施形態の画像処理装置の概略構成を示す正面図である。
【図２】図２は、画像処理装置の処理動作を制御するコントローラの一構成例を示すブロック図である。
【図３】図３は、画像処理装置の機能的構成を示すブロック図である。
【図４】図４は、カラーパッチ生成部の処理動作の流れを示すフローチャートである。
【図５】図５は、カラーパッチ生成部で生成されるカラーパッチの一例を説明するための模式図である。
【図６】図６は、特色と隣接プロセスカラーの関係を説明するための模式図である。
【図７】図７は、特色置換ＬＵＴ計算部の処理動作の流れを示すフローチャートである。
【図８】図８は、特色単色と隣接プロセスカラー２次色の色差最小色材構成と、プロセスカラーの置換特性曲線を説明するためのグラフである。
【図９】図９は、総量規制処理部の処理動作の流れを示すフローチャートである。
【図１０】図１０は、図９のステップＳ４０３の詳細な処理動作の流れを示すフローチャートである。
【図１１】図１１は、図９及び図１０の総量規制処理の具体的な一例を説明するための模式図である。
【発明を実施するための形態】
【００１４】
以下、本発明の実施形態について添付図面を参照して説明する。
【００１５】
なお、本発明の画像処理装置及び画像処理方法は、プロセスカラーであるＣＭＹＫなどの基本色の色材（トナーなど）に、オレンジ（Ｏ）、グリーン（Ｇ）などの特色の色材を新たに加え、４色を超える色材を使用した多色印刷を行うことのできる複写機（プリンタ）や複合機（ＭＦＰ：Multi  Function  Peripherals）などの画像処理装置に適用可能であるが、以下の実施形態の説明では、本発明をデジタル複合機で実現される画像処理装置に適用した場合について説明する。
【００１６】
最初に、本実施形態に係る画像処理装置１の構成について図１を用いて説明する。図１は、本実施形態の画像処理装置１の概略構成を示す正面図である。
【００１７】
図１に示すように、画像処理装置１は、複写（コピー）の開始を指示するスタートキーなどの各種機能キーや操作アイコンなどを表示するタッチパネル式の表示画面を有する操作部２と、操作部２のスタートキーが押下された場合などに原稿セット部３１にセットされた原稿を自動給紙する自動原稿給送装置（ＡＤＦ：Auto  Document  Feeder）３と、ＡＤＦ３や原稿台ガラス（コンタクトガラスともいう）４１にセットされた原稿の画像や後述のカラーパッチ（図５参照）の画像を読取るカラースキャナなどの画像読取部（測色手段）４と、図示しない給紙トレイから画像形成部６に対して転写紙（記録媒体）を給紙する給紙装置５と、電子写真、感熱、熱転写、インクジェットなどの方式により画像読取部４で読取られた画像を給紙装置５から給紙された転写紙に形成する画像形成部（プリンタ部）６と、画像形成部６で画像が形成された転写紙を外部に排紙する排紙部（排紙トレイともいう。）７と、画像処理装置１の処理動作を制御するコントローラ（制御部）１０などを備えている。
【００１８】
次に、画像処理装置１のコントローラ１０の構成について図２を用いて説明する。図２は、画像処理装置１の処理動作を制御するコントローラ１０の一構成例を示すブロック図である。
【００１９】
図２に示すように、コントローラ１０は、画像処理装置１の処理動作を統括的に制御するＣＰＵ１１と、そのＣＰＵ１１とバスラインＢＬを介して接続されるＲＡＭ１２、ＲＯＭ１３及びネットワークＩ／Ｆ１４などを備えている。
【００２０】
ＣＰＵ１１は、ＲＡＭ１２をワークメモリに利用して、ＲＯＭ１３に格納されたプログラムを実行し、バスラインＢＬを介してＡＤＦ３、画像読取部４、画像形成部６、給紙装置５などの各構成要素を制御する。
【００２１】
ネットワークＩ／Ｆ１４は、ＬＡＮ（Local  Area  Network）などのネットワークＮを介して接続されるサーバやパーソナルコンピュータなどの外部の情報処理装置との間で印刷データやスキャンコマンドなどの各種データのやり取りを行う。
【００２２】
次に、画像処理装置１の機能的構成について図３を用いて説明する。図３は、画像処理装置１の機能的構成を示すブロック図である。
【００２３】
図３に示すように、画像処理装置１は、ＣＰＵ１１がＲＯＭ１３などに記憶されているプログラムをＲＡＭ１２に展開して実行することにより、画像処理部１００として機能する。また、画像処理部１００は、特色置換ＬＵＴ作成部１１０、色分離処理部１２０、総量規制処理部１３０を有する。
【００２４】
特色置換ＬＵＴ作成部１１０は、特色単色、プロセスカラー２次色で夫々構成される複数のカラーパッチを出力し、それら各カラーパッチの測色値（色情報）をもとに、特色単色とプロセスカラー２次色の間の置換量を計算し、その結果を特色置換ＬＵＴ（Look-Up  Table）（置換情報）として作成するものであり、カラーパッチ生成部１１０ａと、カラーパッチ測色部１１０ｂと、特色置換ＬＵＴ計算部１１０ｃとを有している。
【００２５】
ここで、カラーパッチ生成部（出力手段）１１０ａは、プロセスカラーであるシアン（Ｃ）、マゼンタ（Ｍ）、イエロー（Ｙ）と無彩色であるブラック（Ｋ）に、オレンジ（Ｏ）やグリーン（Ｇ）などの有彩色である特色を加えた多色印刷が可能な画像処理装置（多色プリンタ）１の画像形成部（出力手段）６において、プロセスカラーのうち２色の組み合わせで構成されるカラーパッチと、特色単色で構成されるカラーパッチ（図５参照）を出力させる処理を行うものである。
【００２６】
カラーパッチ測色部（色情報取得手段）１１０ｂは、画像読取装置（測色手段）４により、カラーパッチ生成部１１０ａによって画像形成部６から出力された各カラーパッチを読取って各カラーパッチの標準信号（ＣＩＥ  Ｌ＊ａ＊ｂ信号）を測色し、該測色された各カラーパッチの標準信号をＲＡＭ１２などの記憶部に記憶する。
【００２７】
特色置換ＬＵＴ計算部（置換情報作成手段）１１０ｃは、カラーパッチ測色部１１０ｂによって記憶部に記憶された各カラーパッチの標準信号をもとに、特色単色に対して、プロセスカラー２次色のＣＩＥ  Ｌ＊ａ＊ｂ色差が最小となるような色材の組み合わせを求め、プロセスカラー２次色を特色単色で置き換える際に参照する特色置換ＬＵＴを作成し、ＲＡＭ１２などの記憶部に記憶する。
【００２８】
また、色分離処理部１２０は、画像読取部４などからＲＧＢ画像データが入力されると、そのＲＧＢ画像データを、ＣＭＹＫの４色（標準色）と１色以上の特色とを合わせたＮ色（Ｎ＞４）データに変換し、総量規制処理部１３０に出力する。
【００２９】
なお、ここでいうＮ色データとは、シアン（Ｃ）、マゼンタ（Ｍ）、イエロー（Ｙ）、ブラック（Ｋ）、および、特色（グリーン：Ｇ、オレンジ：Ｏなど）の色材量を決定するための信号値であり、各色２５６階調で、各色材量は０〜１００％の範囲とする。
【００３０】
また、総量規制処理部（置換処理手段）１３０は、予め設定された総量規制値（制限値）に基づき、各色材の転写紙などの記録媒体への付着量に対して規制を行う。
【００３１】
なお、本実施形態における総量規制値とは、Ｎ色を用いる画像処理装置１において印字可能な総色材量を示すものである。そして、Ｎ色の各色材量は、画像処理部１００より出力される信号値で決定される。
【００３２】
例えば、総量規制値を２００％で設定し、ＣＭＹＫＯＧの6色を用いる画像処理装置１の場合、ＣＭＹＫＯＧの各出力色信号を夫々ｃ、ｍ、ｙ、ｋ、o、gとし、ＣＭＹＫＯＧの各色材量をＴ（ｃ）、Ｔ（ｍ）、Ｔ（ｙ）、Ｔ（ｋ）、Ｔ（ｏ）、Ｔ（ｇ）とすると、総量規制値と各色材量との関係は次のように表せる。
（Ｔ（ｃ）＋Ｔ（ｍ）＋Ｔ（ｙ）＋Ｔ（ｋ）＋Ｔ（ｏ）＋Ｔ（ｇ））＜２００％
【００３３】
なお、画像処理装置１の出力色信号と色材量の関係は、作像プロセスや紙種によって異なるが、ここでは簡単のために出力色信号と色材量の関係が線形であると仮定し、以下の式が成立するものとする。
（色材量）＝（出力色信号）×１００／２５５
【００３４】
そして、総量規制処理部１３０は、出力色信号が総量規制値を越える場合には、総量規制値以下になるように各色信号を修正する。具体的には、総量規制処理部１３０は、予め作成して記憶部に記憶された特色置換ＬＵＴを用いて、プロセスカラー２次色を特色単色に置き換えることで、各出力色信号を修正し、総量規制値を超えないようにする。そして、総量規制処理部１３０は、総量規制値を超えないように修正した出力色信号を画像形成部６に出力する。
【００３５】
次に、上記説明した構成を有する画像処理装置１の処理動作について図４〜図１１を用いて説明する。
【００３６】
まず、最初に、カラーパッチ生成部１１０ａの処理動作について図４〜図６を用いて説明する。図４は、カラーパッチ生成部１１０ａの処理動作の流れを示すフローチャートであり、図５は、カラーパッチ生成部１１０ａで生成されるカラーパッチの一例を説明するための模式図であり、図６は、特色と隣接プロセスカラーの関係を説明するための模式図である。
【００３７】
図４に示すように、カラーパッチ生成部１１０ａでは、特色単色カラーパッチの生成処理を行う（ステップＳ１０１）。即ち、このステップＳ１０１では、画像処理装置１（特に、画像形成部６）に搭載されている特色の単色階調のカラーパッチを生成する。
【００３８】
より具体的には、ステップＳ１０１の処理では、例えば、画像処理装置１（画像形成部６）が、Ｃ、Ｍ、Ｙ、Ｋ、Ｏ（オレンジ）、Ｇ（グリーン）の６色で印刷可能である場合には、特色であるＯ（オレンジ）、Ｇ（グリーン）夫々の単色階調のカラーパッチが生成される（図５（Ａ）参照）。このとき、各カラーパッチは、一定間隔の階調に分割してサンプリングされた特色色信号をもとに生成される。
【００３９】
なお、図５（Ａ）は、ステップＳ１０１で生成される特色単色カラーパッチの一例を示しており、図５（Ａ）の例では、各色色信号値が８ビット（０〜２５５）で構成されているとした場合に、特色色信号を８ステップ（３２、６４、９６、１２８、１６０、１９２、２２４、２５５）でサンプリングしたときの特色単色カラーパッチを示している。
【００４０】
続いて、カラーパッチ生成部１１０ａでは、隣接プロセスカラー２次色カラーパッチの生成処理を行う（ステップＳ１０２）。
【００４１】
より具体的には、ステップＳ１０２の処理では、デバイス独立色空間ＣＩＥ  Ｌ＊ａ＊ｂ＊上で、特色と色相的に隣接するＣＭＹプロセスカラー２色（図６参照）の組み合わせで構成されるカラーパッチが生成される（図５（Ｂ）参照）。なお、隣接プロセスカラー各色のカラーパッチの色信号値は、一定間隔の階調に分割してサンプリングされ、サンプリングされた２色の信号値の全ての組み合わせで構成される色信号をもとに作成される。
【００４２】
なお、図６の例では、プロセスカラーであるＣＭＹと特色Ｏ、ＧをＣＩＥ  Ｌ＊ａ＊ｂ＊色空間上のａ＊ｂ＊平面にプロットした様子を示しており、例えば、特色が０（オレンジ）である場合に、その特色Ｏ（オレンジ）と色相的に隣接するプロセスカラーがマゼンタ（Ｍ）とイエロー（Ｙ）であり、他方、特色がＧ（グリーン）である場合に、その特色Ｇ（グリーン）と色相的に隣接するプロセスカラーがイエロー（Ｙ）とシアン（Ｃ）であることを示している。
【００４３】
また、図５（Ｂ）は、ステップＳ１０２で生成される隣接プロセスカラー２次色カラーパッチの一例を示している。そして、図５（Ｂ）の例では、ある特色に対する隣接プロセスカラー２色をそれぞれＡ、Ｂとした場合、色材Ａ、色材Ｂの色信号がそれぞれ８ステップでサンプリングされている様子を示している。
【００４４】
即ち、カラーパッチ生成部１１０ａは、ステップＳ１０２において、例えば、サンプリングされた色材Ａ、色材Ｂの全組み合わせの色信号をもとにカラーパッチを作成する。なお、各色を８ステップでサンプリングした場合、生成されるカラーパッチ数は６４パッチ（８×８）になる。また、使用する特色が２色以上の場合には、特色の色数分の隣接プロセスカラー２次色のカラーパッチを作成しておく必要がある。特色を３色用いる場合には、１９２パッチ（８×８×３）のカラーパッチが生成されることになる。
【００４５】
続いて、カラーパッチ生成部１１０ａでは、ステップＳ１０１及びステップＳ１０２で生成された特色単色カラーパッチ、隣接プロセスカラー夫々の色信号値をもとに画像形成部６において各カラーパッチ（特色単色カラーパッチ、隣接プロセスカラー２次色カラーパッチ）の印刷（出力）を行わせる（ステップＳ１０３）。
【００４６】
次に、特色置換ＬＵＴ計算部１１０ｃの処理動作について図７及び図８を用いて説明する。図７は、特色置換ＬＵＴ計算部１１０ｃの処理動作の流れを示すフローチャートである。図８は、特色単色と隣接プロセスカラー２次色の色差最小色材構成と、プロセスカラーの置換特性曲線を説明するためのグラフである。
【００４７】
図７に示すように、特色置換ＬＵＴ計算部１１０ｃでは、まず、カラーパッチ測色部１１０ｂで記憶部に記憶された各色信号値に対応する測色値（Ｌ＊ａ＊ｂ＊値、ＸＹＺ値）を読み込む（ステップＳ２０１）。
【００４８】
続いて、特色置換ＬＵＴ計算部１１０ｃでは、特色単色の測色値に対して、隣接プロセスカラー２次色カラーパッチの中から、色差が最小となる信号値の組み合わせを検索する（ステップＳ２０２）。例えば、図５のように特色単色が８ステップ（８パッチ）、隣接プロセスカラー２色がそれぞれ８ステップ（８×８＝６４パッチ）でサンプリングされた場合、特色単色８パッチ夫々に対して、隣接プロセスカラー２次色のカラーパッチの中から色差が最小となるパッチが検索される。そして、色差最小時の特色信号値と、隣接プロセスカラー２色の各信号値が記録される。なお、図５ではカラーパッチの測色値としているが、色予測モデルにより、色情報を取得し、これを測定値と置き換えても良いものとする。
【００４９】
なお、図８（Ａ）は、特色単色の信号値に対して、色差最小となる隣接プロセスカラー２色の各信号値をプロットした図である。図８（Ａ）では、特色単色カラーパッチは８パッチ（８階調）で構成されており、各パッチに対して色差最小の隣接プロセスカラー２次色カラーパッチを構成する隣接プロセスカラー２色の色信号Ａ、Ｂがプロットされている。例えば、特色信号値＝３２の時、色差最小となる隣接プロセスカラー２色の信号値Ａ、Ｂは、それぞれ３２、６４ということが分かる。つまり、特色信号値（３２）≒プロセスカラーＡ信号値（３２）＋プロセスカラーＢ信号値（６４）の関係が成立することから、特色とプロセスカラー２色の最適な置換量を把握することができる。
【００５０】
続いて、特色置換ＬＵＴ計算部１１０ｃでは、ステップＳ２０２の検索で調べられた特色と隣接プロセスカラー２色の信号値のデータを用いて、特色と隣接プロセスカラーの置換量の関係（即ち、プロセスカラーの置換特性曲線）を求める（ステップＳ２０３）。即ち、ステップＳ２０２の処理では、一定間隔でサンプリングされた特色信号値（３２、６４、９６、１２８、１６０、１９２、２２４、２５５）に対する色差最小となるプロセスカラー信号値の関係（置き換え量）は把握できたが、サンプリングされていない特色信号値に対するプロセスカラー２色の信号値がどのような値をとるかは把握できていない。そのため、このような信号値に対しては、サンプリングされた離散データを用いて最小自乗法により、特色と隣接プロセスカラーの関係を算出しておく。
【００５１】
図８（Ｂ）は、特色と隣接プロセスカラーの置換量の関係を示した図である。即ち、ステップＳ２０３では、特色置換ＬＵＴ計算部１１０ｃは、図８（Ｂ）に示すように、図８（Ａ）で示した特色と隣接プロセスカラーのサンプリングデータを用いて、最小自乗法により特色と隣接プロセスカラーの関係式を計算している。この関係式より、特色の全階調値（０〜２５５）に対するプロセスカラー２色の置換量を計算することができる。
【００５２】
続いて、特色置換ＬＵＴ計算部１１０ｃでは、ステップＳ２０３で求めた関係式より、特色の全階調値（０〜２５５）でのプロセスカラー２色の置換量を計算し、これをＬＵＴ（Look-Up  Table）として記録する（ステップＳ２０４）。特色とプロセスカラーの置換量をＬＵＴにすることで、後段の総量規制処理部１３０の計算の手間を省略できる。
【００５３】
次に、総量規制処理部１３０の処理動作について図９を用いて説明する。図９は、総量規制処理部１３０の処理動作の流れを示すフローチャートである。
【００５４】
図９に示すように、総量規制処理部１３０では、まず、Ｎ色色信号（Ｎ色データ）が入力されると、ＲＯＭ１３などの記憶部に予め記憶されている総量規制値を読み込んで取得する（ステップＳ４０１）。なお、上記総量規制値は、予め設定した値に限らず、図示しないユーザーインターフェースを介してユーザーが直接入力した値であっても良い。また、予め幾つかのモードを準備し、そのモードに応じた複数の総量規制値を予め記憶部に記憶しておき、モードに応じて該当する総量規制値を選択するようにしても良い。
【００５５】
続いて、総量規制処理部１３０では、ステップＳ４０１において総量規制値が読み込まれると、Ｎ色信号総和が総量規制値を超えているか否かを判定する（ステップＳ４０２）。ここで、Ｎ色の各色信号はそれぞれ０〜２５５の範囲である。また、本実施形態では、ＣＭＹＫと特色を１色以上用いることを想定しているので、Ｎ＞４を条件とする。
【００５６】
ステップＳ４０２の判定において、Ｎ色信号値総和が総量規制値を超えていると判定されると（ステップＳ４０２：Ｙｅｓ）、総量規制処理部１３０は、プロセスカラーＣＭＹと特色の入力信号から、置換可能な信号上限値を求め、ＣＭＹを特色に置き換えることで、各入力信号を修正する（ステップＳ４０３）。なお、このステップＳ４０３のＣＭＹから特色への置換処理の詳細については後述する。一方、ステップＳ４０２の判定において、Ｎ色信号値総和が総量規制値を超えていないと判定された場合には（ステップＳ４０２：Ｎｏ）、総量規制処理部１３０は、入力色信号をそのまま出力信号として画像形成部６に出力する。
【００５７】
ステップＳ４０３のプロセスカラーから特色への置換処理後、総量規制処理部１３０では、修正されたＮ色色信号値の総和が総量規制値を超えているか否かを判定する（ステップＳ４０４）。
【００５８】
ステップＳ４０４の判定において、総量規制値を超えていないと判定された場合（ステップＳ４０４：Ｎｏ）、総量規制処理部１３０は、修正されたＮ色信号値を出力信号として画像形成部６に出力する。他方、ステップＳ４０４の判定において、Ｎ色信号値総和が総量規制値を超えていると判定されると（ステップＳ４０４：Ｙｅｓ）、総量規制処理部１３０は、Ｎ色信号に含まれる特色全てに対して、置換処理をしたか否かを判定する（ステップＳ４０５）。即ち、ステップＳ４０３の置換処理では、特色１色を選択して、その色に対してプロセスカラーから特色への置き換えを行っている。そのため、Ｎ色信号がＣＭＹＫＯＧである場合、特色であるＯ（オレンジ）かＧ（グリーン）のどちらかが選択され、選択された特色への置換処理はされるが、選択されなかったもう一方の特色への置換処理はされない。そのため、置換処理を行っていない特色がないかどうかを判定することで、全ての特色に対する置換処理を行うようにする。
【００５９】
ステップＳ４０５において全ての特色について置換処理していないと判定されると（ステップＳ４０５：Ｎｏ）、総量規制処理部１３０は、ステップＳ４０３で改めて、置換処理を行う。このとき、一度置換処理を行った特色は選択せずに、置換処理を行っていない特色を選択して、各色信号値を修正する。
【００６０】
他方、ステップＳ４０５において、全ての特色について置換処理をしたと判定されると（ステップＳ４０５：Ｙｅｓ）、総量規制処理部１３０は、Ｎ色信号総和が総量規制値以下になるように各色信号を修正する（ステップＳ４０６）。即ち、ステップＳ４０６の処理では、総量規制処理部１３０は、送られてくるＮ色信号が全ての特色に対して置換処理が施されていて、且つ、信号値総和が総量規制値を超えているため、Ｎ色信号総和が総量規制値の範囲内に収まるような処理を行う。
【００６１】
なお、ステップＳ４０６の処理で用いる総量規制の方法には、例えば、Ｎ色のうち１色の出力信号値を固定して、他の色の出力信号値の構成比を一定にして、総量規制値の範囲内に収まるようにする処理が挙げられる。つまり、ＣＭＹＫＯＧで構成される信号で、Ｋを固定して、Ｃ：Ｍ：Ｙ：Ｏ：Ｇの比を固定して総量規制値Ｓに調整する場合、Ｃ、Ｍ、Ｙ、Ｋ、Ｏ、Ｇの各出力信号値をＣ、Ｍ、Ｙ、Ｋ、Ｏ、Ｇ、総量規制を考慮した修正後のＣ、Ｍ、Ｙ、Ｋ、Ｏ、Ｇの各出力信号値をそれぞれ、Ｃ'、Ｍ'、Ｙ'、Ｋ'、Ｏ'、Ｇ'とする時、Ｃ'、Ｍ'、Ｙ'、Ｋ'、Ｏ'、Ｇ'は
Ｃ'＝Ｃ×（Ｓ−Ｋ）／（Ｃ＋Ｍ＋Ｙ＋Ｏ＋Ｇ）
Ｍ'＝Ｍ×（Ｓ−Ｋ）／（Ｃ＋Ｍ＋Ｙ＋Ｏ＋Ｇ）
Ｙ'＝Ｙ×（Ｓ−Ｋ）／（Ｃ＋Ｍ＋Ｙ＋Ｏ＋Ｇ）
Ｋ'＝Ｋ
Ｏ'＝Ｏ×（Ｓ−Ｋ）／（Ｃ＋Ｍ＋Ｙ＋Ｏ＋Ｇ）
Ｇ'＝Ｇ×（Ｓ−Ｋ）／（Ｃ＋Ｍ＋Ｙ＋Ｏ＋Ｇ）
により得られる。
【００６２】
次に、図９のステップＳ４０３の詳細な処理動作について図１０を用いて説明する。図１０は、図９のステップＳ４０３の詳細な処理動作の流れを示すフローチャートである。
【００６３】
図１０に示すように、総量規制処理部１３０は、図９のステップＳ４０３の処理において、まず、置換色材の選択処理を行う（ステップＳ５０１）。
【００６４】
具体的には、ステップＳ５０１の処理では、総量規制処理部１３０は、置換する特色と、その色と色相的に隣接するプロセスカラーを２色選択する。はじめに置換する特色を1つ選択するが、例えば、特色としてオレンジ、グリーンの２色が用いられていた場合には、どちらか一方の色を選択する。次に特色を選択したら、特色と色相的に隣接するプロセスカラーＣＭＹから２色を選択する。選択された特色がオレンジならばマゼンタとイエローが選択され、特色がグリーンならばシアンとイエローが選択される。なお、以下の説明では、選択した特色をＸ、プロセスカラー２色をそれぞれＰ１、Ｐ２と称す。    
【００６５】
続いて、総量規制処理部１３０は、特色置換ＬＵＴの読み込み処理を行う（ステップＳ５０２）。具体的には、ステップＳ５０２では、総量規制処理部１３０は、ステップＳ５０１で選択されたプロセスカラー２色Ｐ１、Ｐ２の特色置換ＬＵＴを読み込む。なお、上記特色置換ＬＵＴは、特色置換ＬＵＴ作成部１１０で予め作成されているものである。
【００６６】
続いて、総量規制処理部１３０は、特色生成上限値（Ｘｍａｘ）の計算処理を行う（ステップＳ５０３）。
【００６７】
具体的には、ステップＳ５０３では、総量規制処理部１３０は、ステップＳ５０１で選択された特色Ｘの入力信号値から、置換によって生成可能な特色の上限値を計算する。入力信号がＣＭＹＫＸの５色で構成され、各色信号をc、m、y、k、xとし、各信号値が０〜１００％の範囲であるとする。この時、各色で設定可能な信号上限値は１００％であるので、Ｐ１、Ｐ２の２色を減らして、生成することが可能な特色上限値（Ｘｍａｘ）は、
Ｘｍａｘ＝１００−ｘ・・・（１）
で表すことができる。これより、特色生成上限値（Ｘｍａｘ）が求まる。
【００６８】
続いて、総量規制処理部１３０は、隣接プロセスカラー減分上限値（Ｐ１ｍａｘ、Ｐ２ｍａｘ）の計算処理を行う（ステップＳ５０４）。
【００６９】
具体的には、ステップＳ５０４では、総量規制処理部１３０は、ステップＳ５０１で選択されたプロセスカラー２色（Ｐ１、Ｐ２）の入力信号値から、置換時に減らすことが可能なプロセスカラーの上限値を計算する。Ｐ１、Ｐ２の２色を特色Ｘへ置換する場合、特色へ置換するために必要なＣＭＹ信号値は、入力ＣＭＹ信号値を超えないようにする必要がある。そのため、ＣＭＹのうち選択された２色（Ｐ１、Ｐ２）の入力信号をｐ１、ｐ２とすると、特色への置換時に、減じることが可能なＰ１、Ｐ２の上限値（Ｐ１ｍａｘ、Ｐ２ｍａｘ）は、
Ｐ１ｍａｘ＝ｐ１・・・（２）
Ｐ２ｍａｘ＝ｐ２・・・（３）
で表すことができる。これより、隣接プロセスカラー減分上限値（Ｐ１ｍａｘ、Ｐ２ｍａｘ）が求まる。
【００７０】
続いて、総量規制処理部１３０は、隣接プロセスカラー減分量（Ｐ１ｓｕｂ、Ｐ２ｓｕｂ）及び特色生成量（Ｘａｄｄ）の計算処理を行う（ステップＳ５０５）。
【００７１】
具体的には、ステップＳ５０５では、総量規制処理部１３０は、ステップＳ５０３で計算した特色生成上限値と、ステップＳ５０４で計算した隣接プロセスカラー減分上限値をもとに、各色信号の修正量、具体的には隣接プロセスカラーＰ１、Ｐ２の減分量、特色信号Ｘの生成量を計算する。各色信号の修正量の計算方法を以下で説明する。
【００７２】
まず、プロセスカラー２色から特色へ置き換える場合の特色生成量をＸａｄｄ、プロセスカラー２色の減分量を夫々Ｐ１ｓｕｂ、Ｐ２ｓｕｂとして、ステップＳ５０２で読み込んだ特色置換ＬＵＴを用いると、置換時の各色信号の修正量は次のように表すことができる。
Ｐ１ｓｕｂ＝Ｐ１＿ＬＵＴ（Ｘａｄｄ）・・・（４）
Ｐ２ｓｕｂ＝Ｐ２＿ＬＵＴ（Ｘａｄｄ）・・・（５）
ここで、Ｐ１＿ＬＵＴは、プロセスカラーＰ１の特色置換ＬＵＴとし、Ｐ２＿ＬＵＴは、プロセスカラーＰ２の特色置換ＬＵＴとする。
【００７３】
次に、特色生成上限値Ｘｍａｘと、隣接プロセスカラー減分上限値Ｐ１ｍａｘ、Ｐ２ｍａｘを用いて、各色信号の修正量を計算する。ただし、置換することで各色信号を修正する際には、置換前後の色信号値の範囲を考慮しなくてはならない。考慮すべき点の1つ目は、置換後の特色信号値が１００％を超えてはならないということである。信号値の上限は予め決められているので、それを超えるような値（＞１００％）をとることはできない。そのため、特色生成量Ｘａｄｄは、特色生成上限値Ｘｍａｘを用いると、
０＜Ｘａｄｄ≦Ｘｍａｘ・・・（６）
の条件を満たさなければならない。考慮すべき点の２つ目は、置換時にプロセスカラー２色を減じる信号量は、入力信号値を超えてはならないということである。もし、減じる量が入力信号値を超えると、置換後の信号値はマイナスになり、信号値としては不適切な値となる。そのため、置換時にプロセスカラー２色を減じる信号量Ｐ１ｓｕｂ、Ｐ２ｓｕｂは、隣接プロセスカラー減分上限値Ｐ１ｍａｘ、Ｐ２ｍａｘを用いると、
Ｐ１ｓｕｂ≦Ｐ１ｍａｘ・・・（７）
Ｐ２ｓｕｂ≦Ｐ２ｍａｘ・・・（８）
の条件を満たさなければならない。ここで、式（７）、（８）は、式（４）、（５）を用いると次のように書き換えることができる。
Ｐ１＿ＬＵＴ（Ｘａｄｄ）≦Ｐ１ｍａｘ・・・（９）
Ｐ２＿ＬＵＴ（Ｘａｄｄ）≦Ｐ２ｍａｘ・・・（１０）
これらの条件より、効率的にプロセスカラーから特色への置換を行うためには、式（９）、（１０）を満たし、かつ、式（６）を満たすような最大の特色生成量Ｘａｄｄを求めればよい。そして、求めたＸａｄｄを式（４）、（５）に代入することで、隣接プロセスカラー減分量Ｐ１ｓｕｂ、Ｐ２ｓｕｂが求まる。
【００７４】
続いて、総量規制処理部１３０は、各入力信号値の修正を行う（ステップＳ５０６）。
【００７５】
具体的には、ステップＳ５０６では、総量規制処理部１３０は、ステップＳ５０５で計算した隣接プロセスカラー減分量Ｐ１ｓｕｂ、Ｐ２ｓｕｂ、特色生成量Ｘａｄｄを用いて、各入力信号を修正する。修正後の隣接プロセスカラー２色の信号値ｐ１'、ｐ２'、特色信号値ｘ'は、次のように表すことができる。
ｐ１'＝ｐ１−Ｐ１ｓｕｂ・・・（１１）
ｐ２'＝ｐ２−Ｐ２ｓｕｂ・・・（１２）
ｘ'＝ｘ＋Ｘａｄｄ      ・・・（１３）
このようにして、隣接プロセスカラー２色を特色１色へ置き換えることで、各入力信号値を修正する。
【００７６】
次に、図９及び図１０の総量規制処理の具体的な一例について図１１を用いて説明する。図１１は、図９及び図１０の総量規制処理の具体的な一例を説明するための模式図である。
【００７７】
そして、図１１（Ａ）が、総量規制値が２００％で、入力色信号値がＣ＝４０、Ｍ＝１００、Ｙ＝８０、Ｋ＝５０、Ｒ＝３０の場合に、総量規制処理により修正した値を示している。なお、図１１（Ａ）において、各色信号は０〜１００％の範囲の値をとる。
【００７８】
また、図１１（Ｂ）が、プロセスカラー２色を特色へ置換する際に用いる隣接プロセスカラーの置換特性曲線を示している。なお、図１１の例では、ＣＭＹＫＲ５色の色材を用いて印刷が可能な画像処理装置１を想定している。
【００７９】
即ち、図１１の例では、図９のステップＳ４０１において、総量規制値（２００％）が読み込まれると、ステップＳ４０２において、入力色信号総和が総量規制値を超えているか否かが判定される。この場合、図１１（Ａ）の左図に示すように、入力色信号の総和は３００％であるため、総量規制値を超えていることが分かる。そのため、ステップＳ４０３において、総量を減らすためにプロセスカラーから特色への置換処理を行う。
【００８０】
即ち、置換処理としては、図１０のステップＳ５０１において、置換する特色と、その特色と色相的に隣接するプロセスカラーＣＭＹから２色が選択される。図１１の例では、置換する特色はレッド（Ｒ）（図１１（Ａ）参照）、隣接プロセスカラーはレッド（Ｒ）と色相的に隣接するマゼンタ（Ｍ）とイエロー（Ｙ）の２色（図１１（Ｂ）参照）が選択される。
【００８１】
続いて、図１０のステップＳ５０２の特色置換ＬＵＴの読み込み処理において、選択されたマゼンタ（Ｍ）、イエロー（Ｙ）から特色レッド（Ｒ）への置換ＬＵＴを読み込む。ここで、特色への置換ＬＵＴは予め計算されており、図１１の例では、図１１（Ｂ）に示すような置換ＬＵＴが用意されている。
【００８２】
続いて、図１０のステップＳ５０３の特色生成上限値（Ｘｍａｘ）の計算処理において、プロセスカラー２色から特色の置き換え時に、生成可能な特色上限値が計算される。Ｘｍａｘは式（１）より求めることができ、Ｘｍａｘ＝７０となる。
【００８３】
続いて、図１０のステップＳ５０４の隣接プロセスカラー減分上限値の計算処理において、プロセスカラー２色の入力信号値から、置換時に減らすことが可能なプロセスカラーの上限値が計算される。選択されたマゼンタ（Ｍ）、イエロー（Ｙ）の上限値をＭｓｕｂ、Ｙｓｕｂとすると、それぞれの値は式（２）、（３）より、Ｍｓｕｂ＝１００、Ｙｓｕｂ＝８０となる。
【００８４】
続いて、図１０のステップＳ５０５の隣接プロセスカラー減分量と特色生成量の計算処理において、隣接プロセスカラーであるマゼンタ（Ｍ）、イエロー（Ｙ）の減分量と、特色レッド（Ｒ）の生成量が計算される。特色レッド（Ｒ）の生成量をＲａｄｄとすると、Ｒａｄｄは式（６）より、
０＜Ｒａｄｄ≦７０・・・（Ｉ）
の条件を満たさなくてはならない。同様に、隣接プロセスカラーであるマゼンタ（Ｍ）、イエロー（Ｙ）の減分量Ｍｓｕｂ、Ｙｓｕｂは、式（９）、（１０）より、
Ｍｓｕｂ＝Ｍ＿ＬＵＴ（Ｒａｄｄ）≦１００・・・（ＩＩ）
Ｙｓｕｂ＝Ｙ＿ＬＵＴ（Ｒａｄｄ）≦８０・・・（ＩＩＩ）
の条件を満たさなくてはならない。これら、式（Ｉ）〜（ＩＩＩ）の条件を同時に満たす最大のＲａｄｄを求めると、Ｒａｄｄ＝７０となる。そして、この値より、マゼンタ（Ｍ）、イエロー（Ｙ）の各特色置換ＬＵＴを参照すると、Ｍｓｕｂ＝８０、Ｙｓｕｂ＝７０となる。
【００８５】
続いて、図１０のステップＳ５０６の各入力信号値の修正処理において、計算されたマゼンタ（Ｍ）、イエロー（Ｙ）の減分量Ｍｓｕｂ、Ｙｓｕｂ及び特色レッド（Ｒ）の生成量Ｒａｄｄより、各入力信号を修正する。修正後のマゼンタ（Ｍ）、イエロー（Ｙ）、レッド（Ｒ）の値Ｍ'、Ｙ'、Ｒ'は、式（１１）〜（１３）より次のように求まる。
Ｍ'=１００−８０＝２０
Ｙ'＝８０−７０＝１０
Ｒ'＝３０＋７０＝１００
【００８６】
上記置換処理により、各入力信号値が修正され、修正後のＣＭＹＫＲはそれぞれ、Ｃ＝４０、Ｍ＝２０、Ｙ＝１０、Ｋ＝５０、Ｒ＝１００となる。しかしながら、この時点では色信号総和は２２０であるため、総量規制値２００を超えてしまっていることが分かる（図１１（Ａ）の中央図参照）。更に、特色への置き換え処理もこれ以上はできない。そのため、このような場合には、墨量Kを保持して、その他の色信号値を修正前後で比率が一定に保持されるように減らす。これにより、修正後の信号値Ｃ'Ｍ'Ｙ'Ｋ'Ｒ'はそれぞれ、Ｃ'＝３５、Ｍ'＝１８、Ｙ'＝９、Ｋ'＝５０、Ｒ'＝８８となる（図１１（Ａ）の右図参照）。このように信号値を修正することで総量を減らすことができる。
【００８７】
即ち、以上説明した本実施形態の画像処理装置によれば、ＣＭＹ基本色の組み合わせで印刷されたカラーパッチと、特色単色で印刷されたカラーパッチの測色値に基づき、置換比率を決定するので、４色を超える色信号に対して総量規制を行う際のＣＭＹ基本色から特色への置換処理の前後における色差（色味変化）を小さくすることができる。
【００８８】
以上、例示的な実施形態に基づいて説明したが、本実施形態は、前記した実施形態により限定されるものではない。
【００８９】
例えば、上記した実施形態では、特色置換ＬＵＴ作成部１１０（図３参照）では、カラーパッチを生成して、そのカラーパッチの測色値に基づいて特色置換ＬＵＴを計算する形態について説明したが、これに限定されず、色予測モデルを用いて色情報を取得するような形態とすることも可能である。
【００９０】
また、上記した実施形態では、特色置換ＬＵＴ作成部１１０（図３参照）が、ＣＭＹ基本色の信号値から特色の信号値への置き換えの比率を示す置換テーブル（ＬＵＴ）（置換情報）を作成する形態について説明したが、これに限定されず、ＣＭＹ基本色の信号値から特色の信号値への置き換えの比率を示す関数（置換情報）を作成するような形態とすることも可能である。
【００９１】
また、上記した実施形態では、画像読取装置４を用いて画像形成部６で出力されたカラーパッチを読取る形態について説明したが、これに限定されず、画像読取装置４とは別に専用の読取手段（測色計やカラースキャナなど）を設け、その読取手段を用いてカラーパッチを読取るような形態とすることも可能である。
【００９２】
また、上記した実施形態における処理手順を実行するプログラムは、画像処理装置のＲＯＭなどの記憶部に予め組み込んで提供することが可能である。また、前述のプログラムは、インストール可能な形式または実行可能な形式のファイルでコンピュータで読み取り可能な記憶媒体に記憶して提供することが可能である。更に、前述のプログラムは、インターネットなどのネットワーク経由で提供または配布したりすることも可能である。
【００９３】
また、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９４】
１  画像処理装置（多色プリンタ）
４  画像読取装置（読取手段、測色手段）
６  画像形成部（画像形成装置、多色プリンタ）
１０  コントローラ（情報処理装置）
１００  画像処理部
１１０  特色置換ＬＵＴ作成部（色情報取得手段、置換情報作成手段）
１１０ａ  カラーパッチ生成部（出力手段）
１１０ｂ  カラーパッチ測色部（色情報取得手段）
１１０ｃ  特色置換ＬＵＴ計算部（置換情報作成手段）
１２０  色分離処理部
１３０  総量規制処理部（置換処理手段）
【先行技術文献】
【特許文献】
【００９５】
【特許文献１】特許第４４１２７３３号公報
【図１】
2013121135.tif 000003
【図２】
2013121135.tif 000004
【図３】
2013121135.tif 000005
【図４】
2013121135.tif 000006
【図５】
2013121135.tif 000007
【図６】
2013121135.tif 000008
【図７】
2013121135.tif 000009
【図８】
2013121135.tif 000010
【図９】
2013121135.tif 000011
【図１０】
2013121135.tif 000012
【図１１】
2013121135.tif 000013